(57)【要約】      （修正有）【課題】簡単かつ迅速に組み立て及び解体を行うことが可能な組み立て式テントを提供する。【解決手段】幕体１０と、幕体１０を張設するためのフレーム体２０とを備える組み立て式テント１であって、フレーム体２０は、幕体１０の天頂部１２と整合する位置に設けられる連結ハブ部材２２と、連結ハブ部材２２から放射状に延びる複数のフレーム部材２４ａ〜２４ｄとを備え、連結ハブ部材２２及び幕体１０の天頂部１２には、互いに着脱自在に結合可能な結合部がそれぞれ設けられており、幕体１０の外周面には、該幕体１０を複数のフレーム部材２４ａ〜２４ｄに取り付けるための取り付け部１６が設けられている。【選択図】図１
0003204477.tif 000002
【実用新案登録請求の範囲】
【請求項１】
幕体と、前記幕体を張設するためのフレーム体とを備える組み立て式テントであって、
前記フレーム体は、前記幕体の天頂部と整合する位置に設けられる連結ハブ部材と、前記連結ハブ部材から放射状に延びる複数のフレーム部材とを備え、
前記連結ハブ部材及び前記幕体の前記天頂部には、互いに着脱自在に結合可能な結合部がそれぞれ設けられており、
前記幕体の外周面には、該幕体を前記複数のフレーム部材に取り付けるための取り付け部が設けられている
ことを特徴とする組み立て式テント。
【請求項２】
前記連結ハブ部材の前記結合部は、該連結ハブ部材の下面に突設されたループ状結合部であり、
前記幕体の前記結合部は、前記連結ハブ部材の前記ループ状結合部に係止可能なフック状結合部である
ことを特徴とする請求項１に記載の組み立て式テント。
【請求項３】
前記幕体の前記取り付け部は、前記複数のフレーム部材に係止可能なフック状に形成されている
ことを特徴とする請求項１又は２に記載の組み立て式テント。
【考案の詳細な説明】
【技術分野】
【０００１】
本考案は、幕体とフレーム体とを組み立てることで形成される組み立て式テントに関するものである。
【背景技術】
【０００２】
従来、キャンプ等に用いられるテントとしては、図５に示すように、出入口となる開口部１１２が形成された幕体１１０と、幕体１１０を支持する２本のフレーム部材１２０，１２２とを備え、幕体１１０とフレーム部材１２０，１２２とを分離して持ち運び、設置箇所において幕体１１０とフレーム部材１２０，１２２とを組み立てることで形成される組み立て式テント１００が知られている（特許文献１）。
【０００３】
幕体１１０は、平面視で四角形状に形成されており、その対角線上にそれぞれ、フレーム部材１２０，１２２が挿通可能な挿通筒部１１４，１１６が形成されている。２本のフレーム部材１２０，１２２は、幕体１１０の対角線の長さよりも長い長さを有すると共に、上方に向けて凸となるよう湾曲可能な弾性を有している。
【０００４】
この従来の組み立て式テント１００を組み立てるためには、まず、幕体１１０の一方の挿通筒部１１４に一方のフレーム部材１２０を挿入すると共に、幕体１１０の頂上部分においてこのフレーム部材１２０と交叉するように、幕体１１０の他方の挿通筒部１１６に他方のフレーム部材１２２を挿入する。そして、２本のフレーム部材１２０，１２２の各端部を幕体１１０の角部にそれぞれ固定する。これにより、上方に向けて凸となるよう湾曲した２本のフレーム部材１２０，１２２により幕体１１０が支持され、自立した組み立て式テント１００が形成される。
【先行技術文献】
【特許文献】
【０００５】
【特許文献１】特開平８−１９９８５９号公報
【考案の概要】
【考案が解決しようとする課題】
【０００６】
しかしながら、従来の組み立て式テント１００は、組み立ての際に、幕体１１０の一方の挿通筒部１１４に一方のフレーム部材１２０を挿入する作業と、幕体１１０の他方の挿通筒部１１６に他方のフレーム部材１２２を挿入する作業とが必要となり、組み立て作業に時間と労力を要するという問題がある。
【０００７】
そこで、本考案は、簡単かつ迅速に組み立て及び解体を行うことが可能な組み立て式テントを提供することを目的とする。
【課題を解決するための手段】
【０００８】
以上の目的を達成するため、本考案に係る組み立て式テントは、幕体と、前記幕体を張設するためのフレーム体とを備える組み立て式テントであって、前記フレーム体は、前記幕体の天頂部と整合する位置に設けられる連結ハブ部材と、前記連結ハブ部材から放射状に延びる複数のフレーム部材とを備え、前記連結ハブ部材及び前記幕体の前記天頂部には、互いに着脱自在に結合可能な結合部がそれぞれ設けられており、前記幕体の外周面には、該幕体を前記複数のフレーム部材に取り付けるための取り付け部が設けられていることを特徴とする。
【０００９】
本考案に係る組み立て式テントにおいて、前記連結ハブ部材の前記結合部は、該連結ハブ部材の下面に突設されたループ状結合部であり、前記幕体の前記結合部は、前記連結ハブ部材の前記ループ状結合部に係止可能なフック状結合部であることが好ましい。
【００１０】
また、本考案に係る組み立て式テントにおいて、前記幕体の前記取り付け部は、前記複数のフレーム部材に係止可能なフック状に形成されることが好ましい。
【考案の効果】
【００１１】
本考案によれば、簡単かつ迅速に組み立て及び解体を行うことが可能な組み立て式テントを提供することができる。
【図面の簡単な説明】
【００１２】
【図１】本考案の一実施形態に係る組み立て式テントを概略的に示す斜視図である。
【図２】図１のＡ部分をやや上方から見た状態を拡大して示す部分拡大図である。
【図３】フレーム連結具と幕体との連結部分を拡大して示す部分拡大図である。
【図４】フレーム連結具の拡大断面図である。
【図５】従来の組み立て式テントを概略的に示す斜視図である。
【考案を実施するための形態】
【００１３】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。
【００１４】
本実施形態に係る組み立て式テント１は、図１に示すように、人を収容可能な空間を形成する幕体１０と、幕体１０を張設するためのフレーム体２０とを備えている。
【００１５】
幕体１０は、図１に示すように、平面視で多角形状、本実施形態では四角形状に形成された底面部１０ａと、底面部１０ａの上方に設けられた略ドーム型の天幕部１０ｂとを備えている。天幕部１０ｂの各角部は、底面部１０ａの各角部（四隅）に連結（本実施形態では縫合）されている。天幕部１０ｂの各側面（本実施形態では正面、背面、右側面及び左側面）には、それぞれ人が出入りするため又は通気性を確保するための開口が形成されている。天幕部１０ｂの正面及び背面の開口は、右側面及び左側面の開口よりもその高さ方向の大きさが大きくなるよう形成されている。
【００１６】
天幕部１０ｂの天頂部１２には、図３に示すように、フレーム体２０の後述する連結ハブ部材２２の結合部２６に対して着脱自在に結合可能なフック状の結合部１４が設けられている。天幕部１０ｂの外周面には、図２及び図３に示すように、天幕部１０ｂをフレーム体２０の後述するフレーム部材２４ａ〜２４ｄに取り付けるためのフック状の取り付け部１６が、天幕部１０ｂの対角線上に沿って所定の間隔をおいて複数設けられている。
【００１７】
フレーム体２０は、図１〜図３に示すように、幕体１０の天頂部１２と整合する位置に設けられる連結ハブ部材２２と、連結ハブ部材２２から放射状に延びる複数のフレーム部材２４ａ〜２４ｄとを備えている。
【００１８】
連結ハブ部材２２は、扁平状の基部２２ａと、基部２２ａから水平方向外側に向けて突出して形成された突出部２２ｂと、基部２２ａの下面に下方に向けて突出して形成された結合部２６とを備えている。突出部２２ｂは、幕体１０の角部の数と同数（本実施形態では４つ）形成されている。各突出部２２ｂには、図４に示すように、フレーム部材２４ａ〜２４ｄの上端部を挿入するための挿入孔２３が形成されている。幕体１０の対角線上に位置する突出部２２ｂの挿入孔２３は、基部２２ａを介して互いに連通しており、一方の突出部２２ｂから対角線上に位置する他方の突出部２２ｂに亘ってフレーム部材２４ａ〜２４ｄのゴム紐２９（図２、図４参照）が挿通するよう構成されている。結合部２６は、下方に向けて突出した半円ループ状（半円弧状）に形成されている。
【００１９】
フレーム部材２４ａ〜２４ｄはそれぞれ、図１〜図３に示すように、複数（本実施形態では４本）の筒状部材２５ａ〜２５ｄが軸方向に沿って連続して配され、複数の筒状部材２５ａ〜２５ｄ内を挿通するゴム紐２９（図２参照）によって隣接する筒状部材２５ａ〜２５ｄ同士が互いに連結されることで、一本の棒状部材を形成するよう構成されている。隣接する筒状部材２５ａ〜２５ｄの各連結部には、筒状部材２５ａ〜２５ｄの外径と略同径の内径を有する金属製の連結筒状部材２７が設けられており、該連結筒状部材２７によって隣接する筒状部材２５ａ〜２５ｄの各連結部が被覆されるよう構成されている。フレーム部材２４ａ〜２４ｄはそれぞれ、上方に向けて凸となるよう湾曲可能な弾性及び天幕部１０ｂを支持可能な強度を有している。
【００２０】
幕体１０の対角線上に連続するフレーム部材２４ａ〜２４ｄ同士（本実施形態では、フレーム部材２４ａとフレーム部材２４ｃ同士、及び、フレーム部材２４ｂとフレーム部材２４ｄ同士）は、図２及び図４に示すように、共通のゴム紐２９によって連結ハブ部材２２を介して互いに連結されている。最も連結ハブ部材２２寄りの筒状部材２５ａと連結ハブ部材２２との連結部には、筒状部材２５の外径と略同径の内径を有し、かつ、連結ハブ部材２２の挿入孔２３の内径と略同径の外径を有する金属製の連結筒状部材２８が設けられており、該連結筒状部材２８によって筒状部材２５ａと連結ハブ部材２２との連結部が被覆されるよう構成されている。
【００２１】
以上の構成を備えるフレーム体２０は、ゴム紐２９を伸長させて隣接する筒状部材２５ａ〜２５ｄ間を折り曲げることで、各フレーム部材２４ａ〜２４ｄを各筒状部材単位で折り曲げると共に、ゴム紐２９を伸長させて各フレーム部材２４ａ〜２４ｄの最も連結ハブ部材２２寄りの筒状部材２５ａと連結ハブ部材２２との間を折り曲げることで、各筒状部材単位で折り曲げられた各フレーム部材２４ａ〜２４ｄを連結ハブ部材２２の下方側にまとめて収束させることが可能に構成されている。これにより、フレーム体２０を折り畳み傘状にコンパクトに折り畳んで持ち運ぶことが可能となる。
【００２２】
本実施形態に係る組み立て式テント１は、折り畳んでコンパクトにした状態の幕体１０とフレーム体２０とを分離して持ち運び、設置箇所において幕体１０とフレーム体２０とを組み立てることにより、形成される。具体的には、まず、折り畳まれた状態の各フレーム部材２４ａ〜２４ｄを伸展させると共に、各フレーム部材２４ａ〜２４ｄの最も連結ハブ部材２２寄りの筒状部材２５ａを連結ハブ部材２２の挿入孔２３に嵌め込むことで、フレーム体２０を自立させる。その後、幕体１０の天頂部１２に設けられたフック状の結合部１４を連結ハブ部材２２の半円ループ状の結合部２６に引っ掛けると共に、幕体１０の外周面に設けられたフック状の取り付け部１６をそれぞれフレーム部材２４ａ〜２４ｄに引っ掛ける。これにより、本実施形態に係る組み立て式テント１が組み立てられる。
【００２３】
以上のとおり、本実施形態に係る組み立て式テント１は、幕体１０と、幕体１０を張設するためのフレーム体２０とを備える組み立て式テント１であって、フレーム体２０は、幕体１０の天頂部１２と整合する位置に設けられる連結ハブ部材２２と、連結ハブ部材２２から放射状に延びる複数のフレーム部材２４ａ〜２４ｄとを備え、連結ハブ部材２２及び幕体１０の天頂部１２には、互いに着脱自在に結合可能な結合部１４，２６がそれぞれ設けられており、幕体１０の外周面には、該幕体１０を複数のフレーム部材２４ａ〜２４ｄに取り付けるための取り付け部１６が設けられている。このような組み立て式テント１によれば、自立させたフレーム体２０の連結ハブ部材２２の結合部２６に幕体１０の天頂部１２の結合部１４を結合させると共に、フレーム部材２４ａ〜２４ｄに幕体１０の外周面の取り付け部１６を取り付けるという作業のみで、組み立て式テント１を組み立てることが可能となり、また、この逆の作業によって容易に解体することが可能となるため、簡単かつ迅速に組み立て及び解体を行うことが可能となる。
【００２４】
特に、本実施形態に係る組み立て式テント１では、連結ハブ部材２２の結合部２６がループ状に形成され、幕体１０の結合部１４がフック状に形成されているため、幕体１０の結合部１４を連結ハブ部材２２の結合部２６に結合させる作業をより簡単かつ迅速に行うことが可能となる。
【００２５】
また、本実施形態に係る組み立て式テント１では、幕体１０の取り付け部１６がフレーム部材２４ａ〜２４ｄに係止可能なフック状に形成されているため、幕体１０の取り付け部１６をフレーム部材２４ａ〜２４ｄに係止させる作業をより簡単かつ迅速に行うことが可能となる。
【００２６】
以上、本考案の好適な実施形態について説明したが、本考案の技術的範囲は、上述した実施形態に記載の範囲には限定されない。上記各実施形態には、多様な変更又は改良を加えることが可能である。
【００２７】
例えば、上述した実施形態の説明では、幕体１０が平面視で四角形状に形成されるものとして説明したが、これに限定されず、平面視で三角形状であるとしても良いし、平面視で五角以上の多角形状であるとしても良い。
【００２８】
また、上述した実施形態の説明では、幕体１０の対角線上に連続するフレーム部材２４ａ〜２４ｄ同士が共通のゴム紐２９によって連結ハブ部材２２を介して互いに連結されるものとして説明したが、これに限定されず、例えば、フレーム部材２４ａ〜２４ｄのゴム紐２９がそれぞれ独立しており、それぞれ連結ハブ部材２２内で形成された結び目等によって連結ハブ部材２２の挿入孔２３からのゴム紐２９の抜け止めがなされた構成としても良い。
【００２９】
さらに、上述した実施形態の説明では、幕体１０の結合部１４及び取り付け部１６がそれぞれフック状に形成されるものとして説明したが、これに限定されず、例えば、連結ハブ部材２２の結合部２６やフレーム部材２４ａ〜２４ｄに巻き付け可能な紐状の部材であるとしても良い。また、幕体１０の結合部１４がループ状に形成され、連結ハブ部材２２の結合部２６がフック状に形成されても良い。
【００３０】
またさらに、上述した実施形態の説明では、天幕部１０ｂの各側面に開口が形成されるものとして説明したが、これに限定されず、１つの側面にのみ出入り口用の開口が形成される構成等、種々の構成を採用することが可能である。
【符号の説明】
【００３１】
１  組み立て式テント、１０  幕体、１０ａ  底面部、１０ｂ  天幕部、１２  天頂部、１４  結合部、１６  取り付け部、２０  フレーム体、２２  連結ハブ部材、２２ａ  基部、２２ｂ  突出部、２３  挿入孔、２４ａ〜２４ｄ  フレーム部材、２５ａ〜２５ｄ  筒状部材、２６  結合部、２７，２８  連結筒状部材、２９  ゴム紐
【図１】
0003204477.tif 000003
【図２】
0003204477.tif 000004
【図３】
0003204477.tif 000005
【図４】
0003204477.tif 000006
【図５】
0003204477.tif 000007